(57)【要約】【課題】包装袋に収容した被包装物の量が変わっても、包装袋の先端開口部周縁を下側狭圧ブロックの上側に適切に案内できる加熱封止装置を提供する。【解決手段】加熱封止装置２０は、基台１３に設けた下側狭圧ブロック２１と、下側狭圧ブロック２１の上側に設けられ、下側狭圧ブロック２１とともに内部に被包装物を収容した熱溶着可能な包装袋の先端開口部周縁を狭圧して保持する上側狭圧ブロック２２と、下側狭圧ブロック２１に設けられて、下側及び上側狭圧ブロック２１，２２により狭圧して保持された包装袋の先端開口部周縁を加熱して熱溶着させるヒータ２３と、基台１３の下側狭圧ブロック２１の近縁に設けられ、下側狭圧ブロック２１から離間する方向に下方に傾斜して、包装袋の先端開口部周縁から基端底部側の一部を基台１３の上面まで所定角度となるように案内するガイド台３０とを備え、ガイド台３０は包装袋の先端開口部周縁から基端底部側の一部を案内する案内面３４ａの傾斜角度を変更可能とした。【選択図】図６
2015003742.tif 000002
【特許請求の範囲】
【請求項１】
基台に設けた下側狭圧ブロックと、
前記下側狭圧ブロックの上側に設けられ、前記下側狭圧ブロックとともに内部に被包装物を収容した熱溶着可能な包装袋の先端開口部周縁を狭圧して保持する上側狭圧ブロックと、
前記下側及び上側狭圧ブロックの少なくとも一方に設けられて、前記下側及び上側狭圧ブロックにより狭圧して保持された前記包装袋の先端開口部周縁を加熱して熱溶着させるヒータと、
前記基台の前記下側狭圧ブロックの近縁に設けられ、前記下側狭圧ブロックから離間する方向に下方に傾斜して、前記包装袋の先端開口部周縁から基端底部側の一部を前記基台の上面まで所定角度となるように案内するガイド台とを備えた加熱封止装置であって、
前記ガイド台は前記包装袋の先端開口部周縁から基端底部側の一部を前記基台の上面に案内する案内面の傾斜角度を変更可能としたことを特徴とする加熱封止装置。
【請求項２】
請求項１に記載の加熱封止装置において、
前記ガイド台は、前記基台の前記下側狭圧ブロックの近縁にて上方に立ち上がる起立部を有した第１ガイド板と、前記第１ガイド板の起立部に着脱可能に取り付けて前記包装袋の先端開口部周縁から基端底部側の一部を案内する案内面を有した第２ガイド板とを備え、
前記第２ガイド板には前記第１ガイド板の起立部に着脱可能に取り付けるための係合部と、
前記第１ガイド板の起立部には上下方向の異なる位置にて前記係合部に係合可能な複数の被係合部とを設けたことを特徴する加熱封止装置。
【請求項３】
請求項２に記載の加熱封止装置において、
前記下側狭圧ブロックは前記基台の上面から突出した支持軸に着脱可能に支持され、
前記基台の上面には前記支持軸を上下方向に昇降させる昇降シリンダを固定する固定ナットが設けられ、
前記第１ガイド板は前記起立部の下部から前記下側狭圧ブロックの下側にて前記基台上面に当接するように延びて、前記起立部を起立した状態で前記第１ガイド板を前記基台の上面に載置させる水平板部を備え
前記水平板部には前記固定ナットの外周部に係止する係止孔部と、上方に突出して前記下側狭圧ブロックの下面に係止する係止突部とを設けたことを特徴とする加熱封止装置。
【請求項４】
請求項１〜３の何れか１項に記載の加熱封止装置において、
前記ガイド台の案内面の傾斜角度を２５°〜７０°の範囲にて変更可能とし、さらに好ましくは傾斜角度を３０°〜６０°の範囲にて変更可能としたことを特徴とする加熱封止装置。
【発明の詳細な説明】
【技術分野】
【０００１】
本発明は、真空包装機等に用いられ、熱溶着可能な包装袋を密封する加熱封止装置に関する。
【背景技術】
【０００２】
下記の特許文献１には包装袋を熱溶着して密封する加熱封止装置を備えた真空包装機が開示されている。この真空包装機はチャンバベースとチャンバカバーとからなるチャンバと、チャンバ内を減圧する真空ポンプと、チャンバ内に収容した包装袋の先端開口部周縁を熱溶着して密封する加熱封止装置とを備えている。真空包装機の加熱封止装置は、チャンバベースに上下に移動可能に設けられ、上部にヒータを有した下側狭圧ブロックと、チャンバカバーの下面に設けられた上側狭圧ブロックとを備えている。また、チャンバベースの下側狭圧ブロックの近縁には、チャンバベースに載置した包装袋の先端開口部周縁が下側狭圧ブロックの周縁で起立することなく、包装袋の先端開口部周縁を下側狭圧ブロックの上側に導くガイド台が設けられている。ガイド台は、下側狭圧ブロックの近縁から垂直に立ち上がった立上部と、立上部の上端から下側狭圧ブロックから離間する方向に下方に傾斜した傾斜部とからなり、下側狭圧ブロックの上側に載置した包装袋の先端開口部周縁から基端底部側の一部をチャンバベースの底壁上面まで所定角度となるように案内している。
【先行技術文献】
【特許文献】
【０００３】
【特許文献１】特開２００１−０１０６０８号公報
【発明の概要】
【発明が解決しようとする課題】
【０００４】
上記の真空包装機においては、チャンバベースに設けたガイド台の傾斜部の傾斜角度は約２０°となっており、ガイド台の傾斜部の傾斜角度を２０°と小さくしたことで、包装袋の先端開口部周縁が下側狭圧ブロックの近縁で起立することなく下側狭圧ブロックの上側に案内される。包装袋にスープ等の液状の食材を収容したときに、液状の食材の量が少なければ、ガイド台の傾斜部の傾斜角度が小さくても、包装袋の先端開口部から液状の食材が漏出することなく、包装袋の先端開口部周縁を下側狭圧ブロックの上側に案内できる。しかし、包装袋に多量の食材を収容したときには、ガイド台の傾斜部の傾斜角度が小さいと、包装袋の開口部周縁から食材が漏出するおそれがあった。包装袋の開口部周縁から食材を漏出させないようにするには、ガイド台の傾斜部の傾斜角度を大きくする必要があるが、上記のガイド台は傾斜部の傾斜角度が一定であるので、包装袋の食材の量に対応させて傾斜部の傾斜角度を変えることができなかった。本発明は、包装袋に収容した被包装物の量が変わっても、包装袋の先端開口部周縁を下側狭圧ブロックの上側に適切に案内できる加熱封止装置を提供することを目的とする。
【課題を解決するための手段】
【０００５】
上記課題を解決するために、本発明は、基台に設けた下側狭圧ブロックと、下側狭圧ブロックの上側に設けられ、下側狭圧ブロックとともに内部に被包装物を収容した熱溶着可能な包装袋の先端開口部周縁を狭圧して保持する上側狭圧ブロックと、下側及び上側狭圧ブロックの少なくとも一方に設けられて、下側及び上側狭圧ブロックにより狭圧して保持された包装袋の先端開口部周縁を加熱して熱溶着させるヒータと、基台の下側狭圧ブロックの近縁に設けられ、下側狭圧ブロックから離間する方向に下方に傾斜して、包装袋の先端開口部周縁から基端底部側の一部を基台の上面まで所定角度となるように案内するガイド台とを備えた加熱封止装置であって、ガイド台は包装袋の先端開口部周縁から基端底部側の一部を基台の上面に案内する案内面の傾斜角度を変更可能となるようにしたことを特徴とする加熱封止装置を提供するものである。
【０００６】
上記のように構成した加熱封止装置においては、ガイド台は包装袋の先端開口部周縁から基端底部側の一部を案内する案内面を角度変更可能としたので、包装袋の被包装物の量が少ないときには、ガイド台の案内面の傾斜角度を小さくすることにより、包装袋の先端開口部周縁を下側狭圧ブロックの上側に案内するようにでき、また、包装袋内の被包装物の量が多いときには、ガイド台の案内面の傾斜角度を大きくすることにより、包装袋の先端開口部から被包装物が漏出することなく先端開口部周縁を下側狭圧ブロックの上側に案内できるようになった。
【０００７】
上記のように構成した加熱封止装置の一実施形態としては、ガイド台は、基台の下側狭圧ブロックの近縁にて上方に立ち上がる起立部を有した第１ガイド板と、第１ガイド板の起立部に着脱可能に取り付けて包装袋の先端開口部周縁から基端底部側の一部を案内する案内面を有した第２ガイド板とを備え、第２ガイド板には第１ガイド板の起立部に着脱可能に取り付けるための係合部と、第１ガイド板の起立部には上下方向の異なる位置にて係合部に係合可能な複数の被係合部とを設けるのが好ましい。また、このように構成した加熱封止装置においては、下側狭圧ブロックは基台の上面から突出した支持軸に着脱可能に支持され、基台の上面には支持軸を上下方向に昇降させる昇降シリンダを固定するナットが設けられ、第１ガイド板は起立部の下部から下側狭圧ブロックの下側にて基台上面に当接するように延びて、起立部を起立した状態で第１ガイド板を基台の上面に載置させる水平板部とを備え、水平板部にはナットの外周部に係合する係合孔部と、上方に突出して下側狭圧ブロックの下面に係止可能な係止突部とを設けるのが好ましく、このようにしたときには、ガイド台の第１ガイド板の水平板部を基台上面に載置したときに、水平板部の係合孔部の周縁部がナットの外周部と係合することで水平方向にずれないようになるとともに、係止突部が下側狭圧ブロックの下面に係止して上側に持ち上がらないようになり、ガイド台がずれるのを防ぐことができた。
【０００８】
上記のように構成した加熱封止装置においては、ガイド台の案内面の傾斜角度を２５°〜７０°の範囲にて変更可能とし、さらに好ましくは傾斜角度を３０°〜６０°の範囲にて変更可能とするのが好ましい。
【図面の簡単な説明】
【０００９】
【図１】本発明の加熱封止装置を用いた真空包装機の一実施形態を示す斜視図であり、チャンバ及びハウジング内を示すために一部を破断した斜視断面図である。
【図２】図１の下側狭圧ブロックを取り外した状態の一部拡大斜視断面図である。
【図３】第１ガイド板を（ａ）斜め前方から見た斜視図であり、（ｂ）斜め後方から見た斜視図である。
【図４】第１ガイド板と下側狭圧ブロックを示すためにチャンバベースの前部を破断した斜視図である。
【図５】第２ガイド板を後方から見た斜視図である。
【図６】（ａ）包装袋に液状の食材を多く収容したときに、第２ガイド板のフックを第１ガイド板の起立部の上側の取付孔に係合させた断面図であり、（ｂ）包装袋に液状の食材を少なく収容したときに、第２ガイド板のフックを第１ガイド板の起立部の下側の取付孔に係合させた断面図である。
【発明を実施するための最良の形態】
【００１０】
以下、本発明の加熱封止装置を用いた真空包装機の一実施形態を添付図面を参照して説明する。図１に示したように、真空包装機１０は、ハウジング１１の上部に包装袋を収容するチャンバ１２と、ハウジング１１の下部にてチャンバ１２内を減圧する真空ポンプ１５とを備えている。チャンバ１２は上面が開口した浅い皿形をしたチャンバベース１３と、チャンバベース１３の上面開口を開閉自在に塞ぐ耐圧性のアクリル板よりなるチャンバカバー１４とから構成される耐圧容器である。チャンバベース１３の前部及び左右両側部は他の部分より浅い底浅部１３ａとなり、他の部分は底深部１３ｂとなっている。チャンバベース１３の底深部１３ｂは左右方向の中央部が低くなるように湾曲しており、底深部１３ｂに食材が漏出しても食材が中央部に集まりやすくなっている。チャンバカバー１４は、前端側が上下に移動可能となるように、後端部がハウジング１１の後端部に水平軸線回りに支持されている。なお、図１に示したチャンバカバー１４はチャンバベース１３の上面開口を塞ぐことなく開いた状態である。
【００１１】
図１に示したように、チャンバ１２の前部には加熱封止装置２０が設けられている。加熱封止装置２０はチャンバ１２内に収容した熱溶着可能な包装袋の先端開口周縁部を密封するものである。なお、包装袋は内側に融点の低い材質を採用した二層構造の熱可塑性樹脂製フィルムを用いたものである。加熱封止装置２０は包装袋の先端開口部周縁を狭圧して保持する下側及び上側狭圧ブロック２１，２２とを備えている。下側狭圧ブロック２１はアルミニウム製の角パイプ部材よりなり、チャンバベース（基台）１３の前部の底浅部１３ａに着脱可能かつ上下に移動可能に設けられている。上側狭圧ブロック２２は弾性変形可能なシリコン製のブロック体よりなり、下側狭圧ブロック２１の上側に対向する位置にて、チャンバカバー１４の下面前部に設けられている。
【００１２】
下側狭圧ブロック２１の上面には電気絶縁のために貼着されたテフロン（登録商標）製のテープを介してニクロム素材よりなる帯板状をしたヒータ２３が設けられており、下側狭圧ブロック２１の上面にはヒータ２３の上面を覆うようにしてテフロン（登録商標）製のテープが貼着されている。
【００１３】
図１に示したように、チャンバベース１３の前部には下側狭圧ブロック２１を上下に昇降させる左右一対の昇降機構２４（図１では右側のみを示す）が設けられている。図２に示したように、昇降機構２４はチャンバベース１３の前部の底壁を貫通する左右一対の支持軸２５を備えている。これら支持軸２５はチャンバベース１３の前部にて下側狭圧ブロック２１を上下動可能に支持するものである。これら支持軸２５は先端部が下側狭圧ブロック２１の下部に挿入されており、支持軸２５は上下方向の中間部がチャンバベース１３の下面前部に設けた左右一対の昇降シリンダ２６により上下に移動可能に支持されている。これら昇降シリンダ２６はチャンバベース１３の前部の底壁上面に設けた固定ナット２７により固定されている。
【００１４】
図１に示したように、チャンバベース１３の下側狭圧ブロック２１の後側（近縁）にはガイド台３０が設けられている。ガイド台３０は下側狭圧ブロック２１から離間する方向に下方に傾斜して、包装袋の先端開口部周縁から基端底部側の一部をチャンバベース１３の底深部１３ｂの上面まで所定角度となるように案内するものである。ガイド台３０はチャンバベース１３に着脱可能に設けた第１ガイド板３１と、第１ガイド板３１に着脱可能に設けた第２ガイド板３４とから構成される。
【００１５】
図１及び図３に示したように、第１ガイド板３１は下側狭圧ブロック２１の下側にてチャンバベース１３の上面に当接するように延びる水平板部３２と、水平板部３２の後端から上方に立ち上がる起立部３３とを備えている。図３及び図４に示したように、水平板部３２には左右方向の両側部に貫通孔よりなる一対の係止孔部３２ａが設けられており、これら一対の係止孔部３２ａは昇降シリンダ２６を取り付ける固定ナット２７の外周部に係止している。また、水平板部３２の左右両端には上方に突出するように折り曲げた一対の係止突部３２ｂが設けられており、これら係止突部３２ｂは下降位置にある下側狭圧ブロック２１の下面に係止している。
【００１６】
起立部３３は下側狭圧ブロック２１の後側にて下側狭圧ブロック２１の下部の高さまで垂直に伸びる垂直部３３ａと、垂直部３３ａの上端から下側狭圧ブロック２１の上面の高さ位置まで下側狭圧ブロック２１側（前側）に傾斜する傾斜部３３ｂとからなる。傾斜部３３ｂには、第２ガイド板３４を取り付けるための左右一対の取付孔（被係合部）３３ｃが上下方向に２組（上側が３３ｃ−１，下側が３３ｃ−２）形成されている。
【００１７】
図１及び図５に示したように、第２ガイド板３４は上面の案内面３４ａにより下側狭圧ブロック２１の上面に載せた包装袋の先端開口部周縁から基端底部側の一部をチャンバベース１３の底深部１３ｂの上面に案内するものである。第２ガイド板３４の上端には後側に折り曲げて形成した左右一対のフック（係合部）３４ｂが設けられており、これらフック３４ｂは第１ガイド板３１の起立部３３の上下の取付孔３３ｃ−１，３３ｃ−２に選択的に係合可能となっている。図６（ａ）に示したように、第２ガイド板３４のフック３４ｂを第１ガイド板３１の起立部３３の上側の取付孔３３ｃ−１に係合させたときには、第２ガイド板３４の案内面３４ａはチャンバベース１３の上面に対して６０°の角度で傾斜する。図６（ｂ）に示したように、第２ガイド板３４のフック３４ｂを第１ガイド板３１の起立部３３の下側の取付孔３３ｃ−２に係合させたときには、第２ガイド板３４の案内面３４ａはチャンバベース１３の上面に対して３０°の角度で傾斜する。第２ガイド板３４の案内面３４ａを６０°で（角度を大きく）傾斜させたときには、スープ等の液状の食材を多く入れた包装袋の先端開口部周縁から基端側を案内するのに適している。これに対し、第２ガイド板３４の案内面３４ａを３０°で（角度を小さく）傾斜させたときには、スープ等の液状の食材を少なく入れた包装袋の先端開口部周縁から基端側を案内するのに適している。
【００１８】
上記のように構成した真空包装機１０においては、チャンバベース１３の底深部１３ｂに包装袋の基端底部側を載置し、下降位置にある下側狭圧ブロック２１に包装袋の先端開口部周縁を載置する。このとき、包装袋の先端開口部周縁から基端底部側の一部はガイド台３０によりチャンバベース１３の底深部１３ｂの上面に案内され、包装袋からスープ等の液状の食材が先端開口から漏出することなく、包装袋の先端開口部周縁が下側狭圧ブロック２１の上面に案内される。真空ポンプ１５によりチャンバ１２内を減圧してチャンバ１２内が所定の真空度となった後に、左右の昇降シリンダ２６により左右の支持軸２５が上昇し、下側狭圧ブロック２１が上昇位置まで上昇して上側狭圧ブロック２２に押圧される。このとき、下側狭圧ブロック２１に載置した包装袋の先端開口部周縁は下側狭圧ブロック２１と上側狭圧ブロック２２とにより狭圧されて保持される。この状態にて、図示しない電源からヒータ２３に通電することで発熱させると、上側及び下側狭圧ブロック２１，２２に狭圧されて保持された包装袋の先端開口部周縁は熱溶着されて密封される。その後、チャンバ１２内に大気が導入されて、チャンバ１２内が大気圧に戻るとともに、昇降シリンダ２６により支持軸２５を下降させると、下側狭圧ブロック２１は下降位置まで戻る。
【００１９】
包装袋の先端開口部周縁を下側及び上側狭圧ブロック２１，２２により狭圧させるときには、  包装袋の先端開口部周縁が下側狭圧ブロック２１の上面に載置されるようにしつつ、包装袋をチャンバベース１３の上面に寝かして置く必要がある。包装袋内に液状の食材を少なく入れたときには、包装袋の先端開口部から食材が漏出するおそれも小さいので、ガイド台３０のガイド面３４ａの傾斜角度を小さくして、下側狭圧ブロック２１の上面に載せた包装袋の開口部周縁から基端底部側の一部をチャンバベース１３の上面に案内するのが好ましい。これに対し、包装袋内に液状の食材を多く入れたときには、包装袋の先端開口部から食材が漏出するおそれがあるので、ガイド台３０のガイド面３４ａの傾斜角度を大きくして、下側狭圧ブロック２１の上面に載せた包装袋の開口部周縁から基端底部側の一部をチャンバベース１３の上面に案内するのが好ましい。
【００２０】
この実施形態の真空包装機１０の加熱封止装置２０においては、ガイド台３０は包装袋の先端開口部周縁から基端底部側の一部を案内する案内面３４ａをの傾斜角度を変更可能とした。図６（ｂ）に示したように、包装袋Ｂに収容したスープ等の液状の食材（被包装物）Ｓの量が少ないときには、ガイド台３０の案内面３４ａの傾斜角度を小さく（この実施形態では３０°に）することにより、包装袋Ｂの先端開口部から液状の食材Ｓが漏出することなく先端開口部周縁を下側狭圧ブロック２１の上側に案内するようにできた。また、図６（ａ）に示したように、包装袋Ｂ内のスープ等の液状の食材（被包装物）Ｓの量が多いときには、ガイド台３０の案内面３４ａの傾斜角度を大きく（この実施形態では６０°に）することにより、包装袋Ｂの食材Ｓの量が多くても、包装袋Ｂの先端開口部から液状の食材Ｓが漏出することなく先端開口部周縁を下側狭圧ブロック２１の上側に案内できるようになった。
【００２１】
具体的には、この加熱封止装置２０のガイド台３０は、チャンバベース１３の下側狭圧ブロック２１の後側にて上方に立ち上がる起立部３３を有した第１ガイド板３１と、第１ガイド板３１の起立部３３に着脱可能に取り付けて包装袋の先端開口部周縁から基端底部側の一部を案内する案内面３４ａを有した第２ガイド板３４とを備えている。第２ガイド板３４には第１ガイド板３１の起立部３３の傾斜部３３ｂに着脱可能に取り付けるための左右一対のフック（係合部）３４ｂと、第１ガイド板３１の起立部３３の傾斜部３３ｂには上下方向の異なる位置にてフック３４ｂに係合可能な左右一対の取付孔（被係合部）３３ｃを上下に２組（複数）設けた。
【００２２】
包装袋の液状の食材（被包装物）の量が少ないときには、第２ガイド板３４のフック３４ｂを第１ガイド板３１の下側の取付孔３３ｃ−２に係合させ、第２ガイド板３４の案内面３４ａの傾斜角度をチャンバベース１３の上面に対して３０°にする。包装袋の食材の量が少ないので、第２ガイド板３４の案内面３４ａを３０°と小さくしても、包装袋の先端開口部から食材が漏出することなく、包装袋の先端開口部周縁を下側狭圧ブロック２１の上面に案内することができる。
【００２３】
これに対し、包装袋の液状の食材の量が多いときには、第２ガイド板３４のフック３４ｂを第１ガイド板３１の上側の取付孔３３ｃ−１に係合させ、第２ガイド板３４の案内面３４ａの傾斜角度をチャンバベース１３の上面に対して６０°にする。包装袋の食材の量が多いために、第２ガイド板３４の案内面３４ａを６０°と大きくすることで、包装袋の先端開口部から食材が漏出することなく、包装袋の先端開口部周縁を下側狭圧ブロック２１の上面に案内することができる。
【００２４】
また、このように構成した加熱封止装置２０においては、チャンバ１２内を清掃しやすくするために、ガイド台３０の第１ガイド板３１はチャンバベース１３に着脱可能に取り付けられている。この第１ガイド板３１は起立部３３の下部から下側狭圧ブロック２１の下側にてチャンバベース１３の前部の底浅部１３ａの上面に当接するように延びて、起立部３３を起立した状態で第１ガイド板３１をチャンバベース１３の前部の底浅部１３ａの上面に載置させる水平板部３２とを備えている。第１ガイド板３１の水平板部３２には昇降シリンダ２６を固定する固定ナット２７の外周部に係合する係止孔部３２ａと、上方に突出して下降位置にある下側狭圧ブロック２１の下面に係止する係止突部３２ｂとを設けた。これにより、ガイド台３０の第１ガイド板３１の水平板部３２をチャンバベース１３の前部の底浅部１３ａ上面に載置したときに、水平板部３２の係止孔部３２ａの周縁部が固定ナット２７の外周部と係止することで水平方向にずれないようになるとともに、係止突部３２ｂが下側狭圧ブロック２１の下面に係止して上側に持ち上がらないようになり、包装袋をガイド台３０の案内面３４ａにより案内させても、ガイド台３０がずれるのを防ぐことができた。
【００２５】
上記の実施形態の加熱封止装置２０は真空包装機１０に用いたものであるが、本発明はこれに限られるものでなく、真空包装機１０に用いることなく、単に包装袋を密封するための加熱封止装置２０としたものであってもよい。
【００２６】
上記の実施形態の加熱封止装置２０においては、ガイド台３０の案内面３４ａの傾斜角度を３０°と６０°との２段階で角度変更を可能としたが、本発明はこれに限られるものでなく、３０°〜６０°の角度範囲で２段階以上に角度変更としてもよい。また、さらに、３０°〜６０°の角度範囲が最適であるが、２５°〜７０°の範囲にて２段階以上に角度変更を可能としてもよい。
【００２７】
上記の実施形態の加熱封止装置２０においては、第１ガイド板３１の起立部３３に被係合部として左右一対の取付孔３３ｃを上下方向に２組設け、第２ガイド板３４の上部に取付孔３３ｃに係合可能な係合部として左右一対のフック３４ｂを設けたが、本発明はこれに限られるものでなく、第１ガイド板３１の起立部３３に被係合部として起立部３３から突出する上下方向に複数組の突部を設け、第２ガイド板３４の上部に被係合部として該突部に選択的に係合する孔部を設けたものであってもよい。
【００２８】
上記の実施形態の真空包装機１０においては、チャンバベース１３には左右両側の底浅部１３ａ，１３ａの間に底深部１３ｂを塞ぐ底板を着脱可能に設け、チャンバベース１３に収容した包装袋の下側狭圧ブロックに対する高さを変えるようにしてもよい。
【符号の説明】
【００２９】
１３…基台（チャンバベース）、２０…加熱封止装置、２１…下側狭圧ブロック、２２…上側狭圧ブロック、２３…ヒータ、３０…ガイド台、３１…第１ガイド板、３２…水平部、３２ａ…係止孔部、３２ｂ…係止突部、３３…起立部、３３ｃ（３３ｃ−１，３３ｃ−２）…被係合部（取付孔）３４…第２ガイド板、３４ａ…案内面、３４ｂ…係合部（フック）。
【図１】
2015003742.tif 000003
【図２】
2015003742.tif 000004
【図３】
2015003742.tif 000005
【図４】
2015003742.tif 000006
【図５】
2015003742.tif 000007
【図６】
2015003742.tif 000008